(57)【要約】【課題】作業者がひとりでもパネルの施工作業が容易になされて施工しやすいフェンスを提供する。【解決手段】本発明に係るコーナー支柱Ｐにおいて、塀Ｆのコーナー部を構成する２個の塀パネル１の一方の塀パネル１を支持する第１支柱２と、他方の塀パネル１を支持する第２支柱３とを備え、前記第１支柱２に対して第２支柱３は上下方向を軸として回動可能に取付けられ、前記第１支柱２はその下端部が設置場所に埋設される基礎Ｃに固定され、前記第２支柱３はその下端部３１が前記基礎Ｃより上方に隙間Ｓをあけて配置されるとともに、固定部材５を介して該基礎Ｃに固定されているので、第２支柱３の下端部３１と設置面との間で干渉が生じることはなく、また固定部材５によって設置面に第２支柱３をしっかり固定することができる。【選択図】  図３
2016037734.tif 000002
【特許請求の範囲】
【請求項１】
塀のコーナー部を構成する２個の塀パネルの一方の塀パネルを支持する第１支柱と、他方の塀パネルを支持する第２支柱とを備え、
前記第１支柱に対して第２支柱は上下方向を軸として回動可能に取付けられ、
前記第１支柱はその下端部が設置場所に埋設される基礎に固定され、
前記第２支柱はその下端部が前記基礎より上方に隙間をあけて配置されるとともに、固定部材を介して該基礎に固定されていることを特徴とするコーナー支柱。
【発明の詳細な説明】
【技術分野】
【０００１】
本発明は、塀において、コーナー部を構成する２個の塀パネルを固定するためのコーナー支柱に関する。
【背景技術】
【０００２】
一般に、敷地境界部や隣地境界部に沿って設置される塀としては、支柱の前面側に配置された塀パネルが固定された、いわゆる自由柱タイプの塀と、支柱と塀パネルとが略同一平面上に配置された、いわゆる固定柱タイプとがある。後者の場合において、コーナー部を構成する２個の塀パネルを固定する際は、一般に、まず設置面に支柱を固定し、一定期間養生後に支柱にパネルを取付ける形態が多い。そのため、施工誤差等によって２個の塀パネルがなす角度が僅かにずれてしまうと、固定作業がしづらい場合があった。
【０００３】
そこで、特許文献１には、端部が固定された固定柱と、固定柱の一側縁に蝶番を介して水平回動自在に連結した自由柱とを有し、交差する一方のフェンスパネル体の端部を固定柱の側面に取付け、他方のフェンスパネル体の端部を自由柱の側面に取付けたフェンスのコーナー支柱が提案されている。
【先行技術文献】
【特許文献】
【０００４】
【特許文献１】特開２００３−２０６６５２号公報
【発明の概要】
【発明が解決しようとする課題】
【０００５】
ところで、前記コーナー支柱は、自由柱にフェンスパネルを固定した後も、固定柱に対して自由柱を水平回動可能であるが、固定柱で交差する２個のフェンスパネルを支えることとなるので、蝶番に必要以上の負荷がかかって破損したり、蝶番や支柱に変形が生じて水平回動操作に支障が生じたりする場合があった。
【０００６】
本発明は、前記の如き問題点を解消し、塀のコーナー部の形成する塀パネルをしっかり固定することができるコーナー支柱を提供する。
【課題を解決するための手段】
【０００７】
上記目的を達成するために、本発明は次のような構成としている。
すなわち本発明に係るコーナー支柱は、塀のコーナー部を構成する２個の塀パネルの一方の塀パネルを支持する第１支柱と、他方の塀パネルを支持する第２支柱とを備え、前記第１支柱に対して第２支柱は上下方向を軸として回動可能に取付けられ、前記第１支柱はその下端部が設置場所に埋設される基礎に固定され、前記第２支柱はその下端部が前記基礎より上方に隙間をあけて配置されるとともに、固定部材を介して該基礎に固定されていることを特徴とするものである。
【発明の効果】
【０００８】
本発明によれば、第２支柱は基礎との間に隙間があいているので、第２支柱の下端部と基礎との間で干渉が生じることはなく、固定部材によって基礎に第２支柱をしっかり固定することができる。
【図面の簡単な説明】
【０００９】
【図１】本発明に係るにコーナー支柱おいて実施の一形態を示す正面図である。
【図２】図１の敷地外側から見た説明図である。
【図３】図１の敷地内側から見た説明図である。
【図４】図１のＡ−Ａ拡大断面図である。
【図５】図３の固定部材付近の拡大図である。
【発明を実施するための形態】
【００１０】
次に、本発明を実施するための最良の形態について図面を参照し、具体的に説明する。
【００１１】
図面において、１は塀パネル、２は一方の塀パネル１を支持する第１支柱２、３は他方の塀パネル１を支持する第２支柱３、４は第２支柱３を固定するための固定部材である。
【００１２】
図１〜３は本発明に係るコーナー支柱において実施の一形態を示すものであり、図１は本発明に係るコーナー支柱の実施の一形態を示す正面図、図２は敷地内側から見た説明図、図３は敷地内側から見た説明図である。塀Ｆのコーナー部を構成する２個の塀パネル１、１がコーナー支柱Ｐを介して連結されたものである。なお、図２、図３においては、コーナー支柱の上端部等の部材を省略して示している。
【００１３】
塀パネル１は、矩形平板状のパネル本体１１と、このパネル本体１１の外周縁に沿って取付けられた枠体１２とを備えている。パネル本体１１は、本実施形態では、合成樹脂製シートの表裏に金属シートが積層されて一体化されたものである。前記パネル本体１１は、合成樹脂製シートと金属シートとを主な構成とする２層構造、又は多層構造としたものでもよく、合成樹脂シート、金属シートを単独で用いる形態でもよく、ポリカーボネートやアクリル樹脂等からなる透光材料からなるものでもよい。
【００１４】
枠体１２は、本形態では、パネル本体１１の左右の端縁に沿って取付けられる縦部材１３と、パネル本体１１の上下の端縁に沿って取付けられる横部材１４とが組み合わされて矩形状に形成されている。前記パネル本体１１に枠体１２に取付けることによって、塀パネル１の強度と剛性が高められるので好ましいが、第１支柱２又は第２支柱３に取付けられる形態であれば枠体１２の縦部材１３、横部材１４の一方のみを用いた形態でもよい。
【００１５】
図４は、図１のＡ−Ａ拡大断面図である。縦部材１３は、本形態では、縦板状に形成されて基板部１５と備えており、該基板部１５は、上下方向に連続して挿入溝１５ａが設けられており、前記挿入溝１５ａにパネル本体１１の側端部を挿入してパネル本体１１に縦部材１３が固定される。本形態では、挿入溝１５ａの幅がパネル本体１１の厚さよりも狭い箇所が設けられており、パネル本体１１の側端部が挿入溝１５ａ内で押圧されて、しっかり固定することができる。
【００１６】
第１支柱２は、図１〜３に示すように、設置面場所に埋設される基礎に固定されている。すなわち、第１支柱２は、本形態では、断面矩形状に形成された細長い角筒状に形成されており、その外周の１面に塀パネル１が取付けられている。なお、本形態では、第１支柱２の下端部は、基礎Ｃとしてのコンクリートブロックに埋設されることによって、固定されている。
【００１７】
第１支柱２の側面には、取付部材６が固定されている。前記取付部材６は、第１支柱２に固定される縦板状の支柱取付片６１を有している。該支柱取付片６１の両端部から同方向に間隔をあけて設けられた前取付片６２と後取付片６３とによって、横断面コ字状に形成されている。一方、前記縦部材１３の基板部１５の両端部からは、前板部１６と後板部１７とが形成され、上下方向に沿って連続した横断面コ字状となされている。そして、前取付片６２の外方に前板部１６が配置され連結具６４によって連結され、後取付片６３の外方に後板部１７が配置され連結具６４によって連結されている。連結具６４は、本形態のように、前取付片６２、前板部１６、後板部１７、後取付片６３を貫通するボルト１８に締結するナット１９のごとき形態でもよく、ビスやリベットでもよい。なお、塀パネル１を第１支柱２に固定する形態は本形態に限られるものではなく、塀パネル１を第１支柱２にしっかり固定できる形態であればよい。
【００１８】
第２支柱３は、本形態では、第１支柱２と同様に、断面矩形状に形成された細長い角筒状に形成されており、その外周の１側面に塀パネル１が取付けられている。なお、既に説明した内容と同じ構成要素には同じ符号を付し、その説明は省略する。
【００１９】
図５は、図３においてコーナー支柱の下端付近の部分拡大図である。第２支柱３は、その下端部３１が基礎から隙間Ｓをあけて上方に配置されるようになされている。そして、固定部材５に介して基礎Ｃに固定されている。固定部材５は、該固定部材５を基礎Ｃに固定するためのベース部５１と、第２支柱３に固定される支柱固定部５２と、を備えている。これにより、第２支柱３は、塀パネル１を取付けられた後であっても、第２支柱３を位置調整して、その後、前記固定部材５によって、基礎Ｃにしっかり固定することができる。
【００２０】
ベース部５１は、基礎Ｃの上面に固定可能であって、本形態では、前記上面に沿って配置可能な薄板状に形成されている。そして、該ベース部５１の厚さ方向に貫通するアンカー孔５１ａを通って基礎Ｃに固着されるアンカーボルト５３によって、該ベース部５１が基礎Ｃ上に固定される。
【００２１】
支柱固定部５２は、第２支柱３の側面に固定可能であって、本形態では、第２支柱３の下端部の側面に沿って配置可能な薄板状に形成されている。そして、薄板状部を厚さ方向に貫通する固定孔５２ａが形成されており、第２支柱３の１の側面に設けられた貫通孔３２と前記固定孔５２ａを貫通するボルト５４にナット５５が締結されることで、第２支柱３に対して支柱固定部５２が固定される。
【００２２】
前記固定孔５２ａは、本形態では、第２支柱３の長手方向に沿って長孔に形成されている。これにより、基礎Ｃの上面の僅かな不陸や、施工時の僅かな誤差によって第２支柱３の下端部３１と基礎部との隙間Ｓが広がったり、狭まったりしても、その誤差を該固定孔５２ａで吸収して、ボルト５４、ナット５５を取り付けることができる。
【００２３】
本形態では、ボルト５４の頭部が第２支柱３の敷地外側に配置され、第２支柱３を貫通したボルト先端にナット５５が締結されたものであるが、ボルト５４とナット５５との配置が内外逆に配置した形態でもよい。
【００２４】
支柱固定部５２は、ベース部５１と第１支柱２とが干渉しない位置であって、第２支柱３をしっかり固定することができれば、第２支柱３のどの側面に固定されてもよい。
【００２５】
第１支柱２と第２支柱３との間には、図２〜図３に示すように、第１支柱２と第２支柱３との間に生じる上下方向の隙間を覆うカバー材４が取付けられている。前記カバー材４は上下方向に延びる薄板状に形成されており、第１支柱２に対してカバー材４の一側端部が上下方向に回動可能に取付けられており、更にカバー材の他側端部に第２支柱が上下方向に回動可能に取付けられている。これにより、塀Ｆのコーナー部を構成する２枚の塀パネル１１が交差する角度に合わせて、第１支柱２と第２支柱３との相対的配置を変えて、前記角度に合わせてコーナー支柱Ｐを介して２枚の塀パネル１１同士を連結することができる。なお、カバー材４の他の形態としては、第１支柱２に対して蝶番を介して第２支柱３を取付け、更に前記蝶番によって上下方向を軸として回動可能となされた形態等を挙げることができる。
【００２６】
本発明に係るコーナー支柱Ｐは、塀Ｆのコーナー部を構成する２個の塀パネル１の一方の塀パネル１を支持する第１支柱２と、他方の塀パネル１を支持する第２支柱３とを備え、前記第１支柱２に対して第２支柱３は上下方向を軸として回動可能に取付けられ、前記第１支柱２はその下端部が設置場所に埋設される基礎Ｃに固定され、前記第２支柱３はその下端部３１が前記基礎Ｃより上方に隙間Ｓをあけて配置されるとともに、固定部材５を介して該基礎Ｃに固定されているので、第２支柱３の下端部３１と基礎Ｃとの間で干渉が生じることはなく、また固定部材５によって基礎Ｃに第２支柱３をしっかり固定することができる。
【産業上の利用可能性】
【００２７】
本発明に係るコーナー支柱によれば、第２支柱の下端部と設置面との間で干渉が生じることはなく、また固定部材によって設置面に第２支柱をしっかり固定することができるので、塀のコーナー部において好適に用いることができる。
【符号の説明】
【００２８】
１  塀パネル
１１  パネル本体
１２  枠体
１３  縦部材
１３ａ  下端部
１４  横部材
１５  基板部
１５ａ  挿入溝
１６  前板部
１７  後板部
１８  ボルト
１９  ナット
２    第１支柱
３    第２支柱
３１  下端部
３２  貫通孔
４    カバー材
５    固定部材
５２  ベース部
５１ａ  アンカー孔
５２  支柱固定部
５２ａ  固定孔
５３  アンカーボルト
５４  ボルト
５５  ナット
６    取付部材
６１  支柱取付片
６２  前取付片
６３  後取付片
６４  連結具
Ｃ    基礎
Ｆ    塀
Ｐ    コーナー支柱
Ｓ    隙間
【図１】
2016037734.tif 000003
【図２】
2016037734.tif 000004
【図３】
2016037734.tif 000005
【図４】
2016037734.tif 000006
【図５】
2016037734.tif 000007